(57)【要約】      （修正有）【課題】電気ケーブル及び波形管に対し二段締付けする防水固定ヘッドを提供する。【解決手段】外蓋１０、締付けリング２０及び接続環３０を含み、外蓋は、貫通孔１１、第１内錘面１２及び内ねじ山１３を有し、締付けリングは、第１締付け段２１、第２締付け段２２及び通孔２３を有し、通孔により電気ケーブルを貫通させるか、電気ケーブル及び波形管を同時に貫通させ、第１締付け段に第１外斜面を形成し、第２締付け段に第２外斜面を形成し、締付けリングが外蓋の貫通孔中に位置し、接続環が第１外ねじ山及び第２内錘面を有し、第１外ねじ山が外蓋の内ねじ山と螺合し、第２内錘面を第２外斜面上に係合させ、第１内錘面が第１外斜面上に係合し、締付けリングの第1締付け段及び第２締付け段により電気ケーブル上に拘束するか、第1締付け段及び第２締付け段によりそれぞれ波形管及び電気ケーブル上に拘束し、二段締付けの効果を達成する。【選択図】図１
0003163407.tif 000002
【実用新案登録請求の範囲】
【請求項１】
軸向き貫通する貫通孔と、該貫通孔内壁面上に形成される第１内錘面と、該貫通孔ない壁面上に形成される内ねじ山と、を有する外蓋と、
第１締付け段と、第２締付け段と、軸向きに貫通する通孔と、を有し、該通孔により電気ケーブルを貫通させるか、電気ケーブル及び波形管を同時に貫通させ、該第１締付け段の外周面上に第１外斜面を形成し、該第１締付け段の外周面上に第1外斜面を形成し、該第１締付け段の内壁面上に少なくとも１つのフック部を凸設し、該第２締付け段の外周面上に第２外斜面を形成し、該第２締付け段は、自由端縁に向かって徐々にその外径及び内径を縮小し、錘状を呈してなり、該外蓋の貫通孔中に位置する締付けリングと、
第１外ねじ山及び第２内錘面を有し、該第１外ねじ山は、外蓋の内ねじ山と螺合し、該第１内錘面を該第１外斜面上に係合させ、該第２内錘面を該第２外斜面上に係合させ、それにより、該第１締付け段は、波形管を固定し、該第２締付け段が電気ケーブル上に拘束される接続環と、
を含む電気ケーブル及び波形管に対し二段締付けする防水固定ヘッド。
【請求項２】
前記締付けリングの第２締付け段の外周面上に更に凹陥した切り溝を環設し、該切り溝位置で該第２締付け段の端縁を切除することができる  請求項１に記載の電気ケーブル及び波形管に対し二段締付けする防水固定ヘッド。
【請求項３】
前記接続環が第１接続段と、第２接続段と、該第１接続段及び該第２接続段の間に接続する係止段と、を仕切ることができ、且つ該係止段の外径は、該第１接続段及び該第２接続段の外径より大きく、該第２接続段上には、基板、シャーシ上に螺合することに用いる第２外ねじ山を形成する請求項１に記載の電気ケーブル及び波形管に対し二段締付けする防水固定ヘッド。
【請求項４】
更に防水リングを結合し、該接続環の第２接続段上に被せ置き、その一端面は、該係止段上に係合し、該防水リングの一端面上に若干の防水凸縁を凸設し、他端面は、定位凸部を円凸状に隆起し、該接続環は、該防水リングの端面上に対応し、定位凹溝を凹陥し、該防水リングの定位凸部を嵌合させる請求項３に記載の電気ケーブル及び波形管に対し二段締付けする防水固定ヘッド。
【請求項５】
前記波形管は、複数の凹溝を含み、該締付けリングのフック部は、該波形管の凹溝中に嵌合する請求項１に記載の電気ケーブル及び波形管に対し二段締付けする防水固定ヘッド。
【考案の詳細な説明】
【技術分野】
【０００１】
本考案は、電気ケーブル及び波形管の固定ヘッドに関し、特に、電気ケーブル及び波形管に対し二段締付けする防水固定ヘッドに関する。
【背景技術】
【０００２】
電気ケーブルは、外力を受けて引き伸ばされ易く、固定ヘッドの接続箇所において極めて容易に脱落する。従って、業者は、電気ケーブル外周を被覆する波形管を固定することに用いることができる固定接続ヘッドを研究開発し、例えば、日本実用新案登録第３１３２６９７号「コルゲートパイプの迅速継手の構造」は、主に本体と、締め付けナットと、本体及び締め付けナット間に夾設する夾設爪とから構成され、夾設爪を利用しコルゲートパイプに対して定位を行い、迅速な組立て分解の目的を達成しています。
【０００３】
しかしながら、上記の従来の構造は、波形管に対して単点の定位を行うだけであり、波形管内の電気ケーブルが効率的に固定されることができず、波形管が単点で固定される不安定の問題を有する以外に、その電気ケーブルが更に引き伸ばされ、脱落し易い状況を有し、且つこの種の構造の防水性は良好ではない。
【先行技術文献】
【特許文献】
【０００４】
【特許文献１】特開２００５−２５９６４３号公報
【考案の概要】
【考案が解決しようとする課題】
【０００５】
これに鑑み、本考案の目的は、電気ケーブル及び波形管に対して二段締付けを行う効果を有し、接続時の安定固定を増加する電気ケーブル及び波形管に対し二段締付けする防水固定ヘッドを提供することにある。
【０００６】
本考案のもう1つの目的は、好適な防水効果を有する電気ケーブル及び波形管に対し二段締付けする防水固定ヘッドを提供することにある。
【課題を解決するための手段】
【０００７】
本考案が提供する電気ケーブル及び波形管に対し二段締付けする防水固定ヘッドは、
軸向き貫通する貫通孔と、該貫通孔内壁面上に形成される第１内錘面と、該貫通孔ない壁面上に形成される内ねじ山と、を有する外蓋と、
第１締付け段と、第２締付け段と、軸向きに貫通する通孔と、を有し、該通孔により電気ケーブルを貫通させるか、電気ケーブル及び波形管を同時に貫通させ、該第１締付け段の外周面上に第1外斜面を形成し、該第１締付け段の内壁面上に少なくとも１つのフック部を凸設し、該フック部は、波形管外周面の凹溝中に嵌合することに用い、該第２締付け段の外周面上に第２外斜面を形成してなり、該外蓋の貫通孔中に位置する締付けリングと、
第１外ねじ山及び第２内錘面を有し、該第１外ねじ山は、外蓋の内ねじ山と螺合し、該第２内錘面を該第２外斜面上に係合させ、該第１内錘面は、該第１外斜面上に係合する接続環と、
を含む。
これにより該締付けリングの第1締付け段及び第２締付け段により電気ケーブル上に拘束するか、第1締付け段及び第２締付け段によりそれぞれ波形管及び電気ケーブル上に拘束する。
【０００８】
本考案は下記の特徴を有する。
（１）軸向き貫通する貫通孔と、該貫通孔内壁面上に形成される第１内錘面と、該貫通孔ない壁面上に形成される内ねじ山と、を有する外蓋と、
第１締付け段と、第２締付け段と、軸向きに貫通する通孔と、を有し、該通孔により電気ケーブルを貫通させるか、電気ケーブル及び波形管を同時に貫通させ、該第１締付け段の外周面上に第１外斜面を形成し、該第１締付け段の外周面上に第1外斜面を形成し、該第１締付け段の内壁面上に少なくとも１つのフック部を凸設し、該第２締付け段の外周面上に第２外斜面を形成し、該第２締付け段は、自由端縁に向かって徐々にその外径及び内径を縮小し、錘状を呈してなり、該外蓋の貫通孔中に位置する締付けリングと、
第１外ねじ山及び第２内錘面を有し、該第１外ねじ山は、外蓋の内ねじ山と螺合し、該第１内錘面を該第１外斜面上に係合させ、該第２内錘面を該第２外斜面上に係合させ、それにより、該第１締付け段は、波形管を固定し、該第２締付け段が電気ケーブル上に拘束される接続環と、
を含む電気ケーブル及び波形管に対し二段締付けする防水固定ヘッド。
（２）前記締付けリングの第２締付け段の外周面上に更に凹陥した切り溝を環設し、該切り溝位置で該第２締付け段の端縁を切除することができる  （１）に記載の電気ケーブル及び波形管に対し二段締付けする防水固定ヘッド。
（３）前記接続環が第１接続段と、第２接続段と、該第１接続段及び該第２接続段の間に接続する係止段と、を仕切ることができ、且つ該係止段の外径は、該第１接続段及び該第２接続段の外径より大きく、該第２接続段上には、基板、シャーシ上に螺合することに用いる第２外ねじ山を形成する（１）に記載の電気ケーブル及び波形管に対し二段締付けする防水固定ヘッド。
（４）更に防水リングを結合し、該接続環の第２接続段上に被せ置き、その一端面は、該係止段上に係合し、該防水リングの一端面上に若干の防水凸縁を凸設し、他端面は、定位凸部を円凸状に隆起し、該接続環は、該防水リングの端面上に対応し、定位凹溝を凹陥し、該防水リングの定位凸部を嵌合させる（３）に記載の電気ケーブル及び波形管に対し二段締付けする防水固定ヘッド。
（５）前記波形管は、複数の凹溝を含み、該締付けリングのフック部は、該波形管の凹溝中に嵌合する（１）に記載の電気ケーブル及び波形管に対し二段締付けする防水固定ヘッド。
【考案の効果】
【０００９】
従来製品と比較し、本考案の締付けリングは、一体に成形される固定部材であり、比較的安定した固定効果を有し、そのうち、該第１締付け段は、該第２締付け段より直径が大きく、前記従来の夾設爪と比較し、本考案の第1締付け段は、より大きな面積及び体積が外蓋の締付けを受け、波形管を固定する。
【００１０】
上記電気ケーブル及び波形管に対し二段締付けする防水固定ヘッドは、そのうち、該第２締付け段は、自由端縁に向かってその外径及び内径が徐々に縮小し、比較的長い錘状の締付け効果を形成し、従来と比較し、ケーブル固定効果が良好である。
【００１１】
上記電気ケーブル及び波形管に対し二段締付けする防水固定ヘッドは、そのうち、該締付けリングが弾性材質で形成される。
【００１２】
上記電気ケーブル及び波形管に対し二段締付けする防水固定ヘッドは、そのうち、該接続環が第１接続段と、第２接続段と、該第１接続段及び該第２接続段の間に接続する係止段と、を仕切ることができ、且つ該係止段の外径は、該第１接続段及び該第２接続段の外径より大きく、該第２接続段上には、基板、シャーシ上に螺合することに用いる第２外ねじ山を形成する。
【００１３】
上記電気ケーブル及び波形管に対し二段締付けする防水固定ヘッドは、そのうち、該締付けリングの第２締付け段の外周面上に更に凹陥する切り溝を環設し、該切り溝の位置が該第２締付け段の端縁を切除することができる。
【図面の簡単な説明】
【００１４】
【図１】本考案の第1実施例の分解断面図である。
【図２】図１が示す実施例の組み合わせ断面図である。
【図３】図１が示す実施例の使用状態説明図であり、小さな直径の電気ケーブル及び波形管と組み立て時の状態を表示する図である。
【図４】図１が示す実施例の使用状態説明図であり、大きな直径の電気ケーブル及び波形管と組み立て時の状態を表示する図である。
【考案を実施するための形態】
【００１５】
本考案の特長及び利点を分かり易くするため、以下に実施例を挙げ、図面と併せて説明する。
【００１６】
図１〜図４に示すように、本考案の好適実施例が提供する電気ケーブル及び波形管に対し二段締付けする防水固定ヘッド１００は、外蓋１０と、締付けリング２０と、接続環３０と、を含む。
【００１７】
図１、図２を参照し、該外蓋１０は、軸向きに貫通する貫通孔１１と、該貫通孔１１内壁面上に形成される第1内錘面１２と、該貫通孔１１内壁面上に形成される内ねじ山１３と、を有する。
【００１８】
図１及び図２を参照し、該締付けリング２０は、弾性材質、例えば、ゴム、プラスチック、シリカゲルの何れかから形成される。該締付けリング２０は、第1締付け段２１及び第２締付け段２２が一体に成形してなり、固定効果が比較的安定し、軸向きに通孔２３を貫通し、且つ該第１締付け段２１の直径は、該第２締付け段２２より大きく、該第２締付け段２２は、自由端縁に向かって、その外径及び内径が徐々に縮小し、錘状を呈し、該第１締付け段２１の自由端面上に第１外斜面２１１を形成し、該第１締付け段２１の内壁面上に少なくとも１つのフック部２４を環設し、該第２締付け段２２の外周面上に第２外傾斜面２２１を形成する。
【００１９】
図１及び図２を参照し、該接続環３０は、中空柱体であり、その内壁面上に第２内錘面３１を有し、外周面上に第１外ねじ山３２を有する。
【００２０】
上記は、本考案の好適実施例が提供する電気ケーブル及び波形管に対し二段締付けする防水固定ヘッド１００の主要な構成部材を紹介したが、続いてその組み立て方式及び使用の利点を以下に紹介する。
【００２１】
先ず、図２に示すように、該締付けリング２０の第１締付け段２１は、該外蓋１０の貫通孔１１中に穿合し、該締付けリング２０の第２締付け段２２は、該接続環３０の内部に穿合し、該接続環３０の第１外ねじ山３２により該外蓋１０の内ねじ山１３と螺合し、該締付けリング２０の第１外斜面２１１を対応する該外蓋１０の第１内錘面１２の相対位置上に位置させ、該締付けリング２０の第２外斜面２２１は、対応する該接続環３０の第２内錘面３１の相対位置上に位置する。
【００２２】
これにより、図３に示すように、本考案は、小さな直径の電気ケーブル９９及び電気ケーブル９９の外周を被覆する波形管９７が接続する時、該電気ケーブル９９を外蓋１０の貫通孔１１から穿合し、電気ケーブル９９を該締付けリング２０の通孔２３内に穿合させ、電気ケーブル９９の外部露出した部分を第２締付け段２２中に位置させ、波形管９７は、第１締付け段２１中に位置し、該電気ケーブル９９及び波形管９７を固定しようとする時、該外蓋１０を回転させて締め（即ち、該外蓋１０を接続環３０の方向に旋転させる）、該外蓋１０の第1内錘面１２に該締付けリング２０の第１外斜面２１１の押圧を開始させ、該締付けリング２０の第１締付け段２１に拘束状態を呈することを開始させ、該締付けリング２０が受力する位置に変化を発生させ、即ち、該第１締付け段２１に位置するフック部２４が波形管９７外周の凹溝中への嵌合を開始し、波形管９７に対し締め付ける第１締付け領域の形成を行い、外蓋１０の回転と同時に、該締付けリング２０の第２締付け段２２上の第２外斜面２２１は、該接続環３０の第２内錘面３１の圧迫を受け変形を発生し、該電気ケーブル９９上に拘束され、電気ケーブル９９に対して締付けする第２締付け領域を形成する。
【００２３】
これにより、波形管９７及び電気ケーブル９９が同時に締付けリング２０の第１締付け段２１及び第２締付け段２２の圧迫を受け、二段締付けの効果を達成し、電気ケーブルが外力の作用を受けて引き伸ばされ、緩み抜ける状況の発生を防止する。従来製品と比較し、本考案の締付けリング２０は、一体に成形される固定部材であり、多数の部品から構成されるものでなく、安定した固定効果を有し、そのうち、該第１締付け段２１の直径は、該第２締付け段２２より大きく、前記従来の夾設爪と比較し、本考案の第１締付け段２１は、より大きな面積の第１外斜面２１１及び体積が外蓋１０の締付けを受け、波形管を固定する効果が良好であり、上記電気ケーブル及び波形管に対し二段締付けする防水固定ヘッドは、そのうち、該第２締付け段２２が自由端縁に向かって徐々にその外径及び内径を縮小し、比較的長い錘状の締付け効果を形成し、従来と比較し、電気ケーブルを固定する効果が良好である。
【００２４】
また、上記の締付けリング２０は、第２締付け段２２の外周面上に更に凹陥した切り溝２５を環設し、大きな直径の電気ケーブル９８及び波形管９７に対し接続締付けを行なう時、図４に示すように、該切り溝２５の位置で該第２締付け段２２の端縁を切除することができ、大きな直径の電気ケーブル９８及び波形管９７に対し二段締付けを行なう効果に有利である。但し、その切除の領域の大きさは、実際の電気ケーブルの直径に応じて定めることができる。
【００２５】
上記の接続環３０は、更に、第１接続段２２と、第２接続段３４と該第１接続段３３及び該第２接続段３４の間に接続する係止段３５と、を仕切ることができ、且つ該係止段３５の外径は、該第１接続段３３及び第２接続段３４の外径より大きく、該第１接続段３３上に外蓋１０上に螺合することに用いる該第１外ねじ山３２を形成し、該第２接続段３４上に基板、シャーシ上に螺合することに用いる第２外ねじ山３６を形成する。
【００２６】
本考案の電気ケーブル及び波形管に対し二段締付けする防水固定ヘッド１００は、更に防水リング４０を含むことができ、図１及び図２に示すように、該防水リング４０は、弾性材質、例えば、ゴム、プラスチック、シリカゲル材質から形成され、該接続環３０の第２接続段３４上に被せ置き、その一端面が該係止段３５上に係合し、該接続環３０を基板又はシャーシと螺合させる時、該防水リング４０により接続環３０と基板、シャーシ間の固定効果を増加することができ、該防水リング４０を利用し、水分、水気が第２接続段３４から進入することを防止する効果とすることができ、同時に締付けリング２０の電気ケーブル及び波形管に対する締付け作用を組み合わせ、双辺の防水効果を達成する。
【００２７】
上記の防水リング４０の一端面上に若干の防水凸縁４１を凸設し、且つ該防水凸縁４１は、同心円状の配列を呈し、他端面は、定位凸部４２を円凸状に隆起し、該防水凸縁４１により接続環３０の係止部と係合でき、その緊密接合の効果を増加し、防止の効果を更に強化する。また、防水リング４０の定位凸部４２は、更に基板、シャーシ上の凹溝又は接続環３０の係止段３５上に形成される定位凹溝（図示せず）に合わさることができ、単独使用時の脱落を防止することができ、転動でき、詰まる状態が発生せず、使用時の利便性を大幅に増加させる。
【００２８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２９】
１００  電気ケーブル及び波形管に対し二段締付けする防水固定ヘッド
１０  外蓋
１１  貫通孔
１２  第1内錘面
１３  内ねじ山
２０  締付けリング
２１  第1締付け段
２１１  第1外斜面
２２  第２締付け段
２２１  第２外斜面
２３  通孔
２４  フック部
２５  切り溝
３０  接続環
３１  第２内錘面
３２  第1外ねじ山
３３  第1接続段
３４  第２接続段
３５  係止段
３６  第２外ねじ山
４０  防水リング
４１  防水凸縁
４２  定位凸部
９７  波形管
９８  大きな直径の電気ケーブル
９９  小さな直径の電気ケーブル
【図１】
0003163407.tif 000003
【図２】
0003163407.tif 000004
【図３】
0003163407.tif 000005
【図４】
0003163407.tif 000006